【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
家具の可動体に固定される本体部と、前記本体部に回転可能に取り付けられていて使用者が家具の外側から回転操作できるダイヤルとを備えており、更に、使用者が使用のたびに解錠番号を設定できる自由設定状態と解錠番号が決まっている番号固定状態とに切り替え可能になっており、前記自由設定状態と番号固定状態との切り替えは、家具の内部に露出するように設けた切り替え部材を回転させることで行われる、という符号錠が可動体に取り付けられている家具であって、
前記符号錠の本体部のうち施錠状態で人の目に触れない裏側か、又は、前記可動体のうち施錠状態で人の目に触れない裏側に、前記符号錠の切り替え部材を回転操作する操作具を脱落しない状態に保持できる保持部が設けられている、
符号錠付きの家具。
【請求項２】
前記操作具は、先端部が前記符号錠の切り替え部材に相対回転不能に嵌まる係合部になっている本体と、一端が前記本体に取り付いて他端は自由端になってるクリップ片とから成っている一方、前記符号錠又は可動体の保持部は、前記操作具を下向き動させると当該操作具の本体とクリップ片とで挟まれる板状に形成されている、
請求項１に記載した符号錠付き家具。
【請求項３】
前記保持部は、前訴操作具を上方から挿入できるポケット状になっている、
請求項１に記載した符号錠付き家具。
【請求項４】
前記符号錠の切り替え部材は所定角度だけ回転することで自由設定姿勢と番号固定姿勢と切り替わるようになっており、更に、前記符号錠の本体部は、前記切り替え部材の露出端面との間に間隔を開けた状態で配置されたカバー体を備えており、前記操作具は前記カバー体に設けたガイド穴に挿入して切り替え部材と係合させるようになっており、
かつ、前記操作具のうち切り替え部材を回転させ得る状態でカバー体の内側に位置する部分には、当該操作具の回転軸心の半径外側にはみ出したガイド突起が形成されている一方、前記カバー体のガイド穴は、切り替え部材が自由設定姿勢のときと番号固定姿勢のときとのいずれかの姿勢のときしか操作具のガイド突起が嵌脱できないように非円形に形成されており、更に、前記操作具はガイド突起がカバー体の内側に位置した状態で切り替え部材から離脱不能に保持されている、
請求項１〜３のうちのいずれかに記載した符号錠付き家具。
【請求項５】
家具の可動体に固定される本体部と、前記本体部に回転可能に取り付けられていて使用者が家具の外側から回転操作できるダイヤルとを備えており、更に、使用者が使用のたびに解錠番号を設定できる自由設定状態と解錠番号が決まっている番号固定状態とに切り替え可能になっており、前記自由設定状態と番号固定状態との切り替えは、家具の内部に露出するように設けた切り替え部材を回転させることで行われる、という構成であり、かつ、前記符号錠の切り替え部材は所定角度だけ回転することで自由設定姿勢と番号固定姿勢と切り替わるようになっている、という符号錠であって、
人が摘んで回転操作できる細長い形状の本体を備えており、前記本体には、一端が前記本体の基端又は基端寄り部位に取り付いて他端は自由端になってるクリップ片が形成されており、更に、前記本体のうち先端寄りの部分に、回転軸心の半径外側にはみ出したガイド突起が形成されている、
符号錠。
【手続補正２】
【補正対象書類名】明細書
【補正対象項目名】００２３
【補正方法】変更
【補正の内容】
【００２３】
図３のうち（Ａ）は符号錠４を裏側から見た一部破断斜視図、（Ｂ）は分離斜視図、（Ｃ）は操作具１５の斜視図である。これらの図に示すように、デッドボルト６は側面視でクランク状に折り曲げられていて本体ケース５の裏側に位置しており、回転軸にビス１１で固定されている。また、本体ケース５には、扉３を裏側から保持するストッパー部５ｂを設けている。
【手続補正３】
【補正対象書類名】明細書
【補正対象項目名】００２５
【補正方法】変更
【補正の内容】
【００２５】
なお、切り替え部材１３はばねで外向き方向に付勢されていて若干の寸法だけ軸方向に押し込まないと回転しないようになっており、また、切り替え部材１３は、１８０°だけ往復回転させることで自由設定状態と番号固定状態とに切り替わるようになっている。
【手続補正４】
【補正対象書類名】明細書
【補正対象項目名】００３４
【補正方法】変更
【補正の内容】
【００３４】
そして、符号錠４を自由設定状態と番号固定状態とに切り替えるには、操作具１５をカバー体１８のガイド穴１９に挿入して切り替え部材１３に嵌め込み、図５（Ｃ）に示すように切り替え部材１３を押し込んでから１８０°だけ回転させたら良い。すると、切り替え部材１３は１８０°しか回転しないため、自由設定状態と番号固定状態とのいずれかに設定した姿勢で操作具１５と切り替え部材１３との回転が停止し、すると、操作具１５のガイド突起２３とガイド穴１９の外向き溝１９ａとが一致して操作具１５をガイド穴１９から抜き外すことができる。
【手続補正５】
【補正対象書類名】明細書
【補正対象項目名】００３５
【補正方法】変更
【補正の内容】
【００３５】
また、操作具１５を回転している途中の状態では操作具１５のガイド突起２３がカバー体１８の内側に位置しているため操作具１５を抜き外すことはできず、従って、切り替え部材１３が自由設定状態でも番号固定状態でもない不完全な状態に回転停止することはない。
【手続補正６】
【補正対象書類名】明細書
【補正対象項目名】００３７
【補正方法】変更
【補正の内容】
【００３７】
そして、操作具１５は通常は裏部材１６の壁板２５に上方から挟み保持されているため、例えば扉３の開閉によって脱落するといったことはなく、自由設定状態と番号固定状態との切り替えが必要になったらその時に即座に使用できる。この場合、図５（Ａ）（Ｂ）に示すように、壁板２５には、突起２７が乗り越える横長のリブ２５ａを設けており、このため、操作具１５は簡単には抜けない状態に保持されている。なお、リブ２５ａはクリップ片２４の凹所２４′に嵌合させてもよい。
【手続補正７】
【補正対象書類名】明細書
【補正対象項目名】００４０
【補正方法】変更
【補正の内容】
【００４０】
他方、第２キャビネット３５はいわゆるオールロック装置を備えており、最上段の符号錠４を施錠すると３段の引出し３４は全てロックされる（一点鎖線で示すように、個々の引出し３４に符号錠４を設けることも可能である。）。
【手続補正８】
【補正対象書類名】明細書
【補正対象項目名】００４２
【補正方法】変更
【補正の内容】
【００４２】
(5).第２実施形態の詳細
次に、図８〜図９に基づいて第２実施形態の詳細を説明する。図８のうち（Ａ）は右扉３２を裏側から見た部分斜視図、（Ｂ）は更に右扉３２の一部を拡大した部分斜視図である。扉３２はスチール製であり、その左右側部と上下両端部とを内側に折り返して補強しており（折り返し部を符号３９で示す）、また、左右中間部の裏面には縦長の補強部材４０をスポット溶接によって固着している。
【手続補正９】
【補正対象書類名】明細書
【補正対象項目名】００４８
【補正方法】変更
【補正の内容】
【００４８】
操作具１５の抜き差しを容易ならしめるため、ポケット体４３の内部の左右横幅は操作具１５の最大横幅よりもかなり大きくなっている。また、ポケット体４３における左右の周壁４５の下部は下周壁４５ａに収束する傾斜部４５ｂになっている。このため、操作具１５の安定性が一層高くなっている。
【手続補正１０】
【補正対象書類名】明細書
【補正対象項目名】００４９
【補正方法】変更
【補正の内容】
【００４９】
また、図９（Ｅ）に示すように、クリップ片２４の外面にはポケット体４３の底板４６に弾性的に当接する突起５０を一対に設けており、操作具１５はクリップ片２４の弾性力によってポケット体４３の底板４６に突っ張らせている。このため、例えば扉３２を激しく閉じても振動で操作具１５が外れる出るようなことはない。運搬に際してずれ落ちるようなこともない。
【手続補正１１】
【補正対象書類名】明細書
【補正対象項目名】００５５
【補正方法】変更
【補正の内容】
【００５５】
(8).第５実施形態
図１２では第５実施形態を示している。この実施形態は操作具１５の別例であり、基本的には従前と同じであるが、従前の形態との相違点として、本体２０における広巾の基端寄り部位に端面をえぐったくびれ部２０ｂを形成している点（ａ点）、本体２０のうちクリップ片２４と反対側でかつ細幅部２０ｂの付け根部に側面視略Ｖ形の切欠き溝部５５を形成している点（ｂ点）、本体２０のうちクリップ片２４と反対側の部位に側面視で凹んだ凹所２０ｃを形成して、この凹所２０ｃの前後中間部に突起５６を形成した点（ｃ点
）、が相違している。
【手続補正１２】
【補正対象書類名】明細書
【補正対象項目名】００５８
【補正方法】変更
【補正の内容】
【００５８】
他方、図１２（Ｄ）に示すように、クリップ片２４の付け根がフランジ４７に当たる状態まで差し込むことも可能である。この場合、凹所２０ｃに設けた突起５６を下向き片４９の先端に引っ掛けて、抜けにくくすることも可能である。勿論、下向き片５６は一点鎖線で示すように突起５６を超えて延びていても良い。
【手続補正１３】
【補正対象書類名】明細書
【補正対象項目名】００６０
【補正方法】変更
【補正の内容】
【００６０】
また、操作具を符号錠の本体部や扉等の可動体に脱落しない状態に保持する保持手段としては、扉や引出しに直接にポケット部を形成したり、操作具にリングを一体又は別体に設けてこれを符号錠の本体又は可動体に設けたフック部に引っ掛けるようにするなど、様々の態様を採用できる。更に、本願発明は、図６に第３キャビネットとして示した引き違い式のキャビネットにも適用できることはいうまでもない。
【手続補正１４】
【補正対象書類名】明細書
【補正対象項目名】００６１
【補正方法】変更
【補正の内容】
【００６１】
【図１】第１実施形態の外観斜視図である。
【図２】第１実施形態を外側から見た一部破断斜視図である。
【図３】（Ａ）は符号錠を裏側から見た一部破断斜視図、（Ｂ）は分離斜視図、（Ｃ）は操作具の斜視図である。
【図４】（Ａ）は要部の背面図、（Ｂ）は（Ａ）のＢ−Ｂ視概略図である。
【図５】（Ａ）は図４（Ａ）の VA-VA視断面図、（Ｂ）は（Ａ）のＢ−Ｂ視断面図、（Ｃ）は切り替え調節している状態での図４（Ａ）の VC-VC視断面図、（Ｄ）は（Ｃ）のＤ−Ｄ視断面図である。
【図６】第２実施形態及び第３実施形態の外観斜視図である。
【図７】第２実施形態及び第３実施形態で使用する符号錠の外観図である。
【図８】第２実施形態に係る扉の一部破断斜視図である。
【図９】第２実施形態を示す図で、（Ａ）は要部斜視図、（Ｂ）は操作具を収納した状態での背面図、（Ｃ）は操作具を分離した状態での背面図、（Ｄ）は（Ｂ）のＤ−Ｄ視断面図、（Ｅ）は（Ｂ）のＥ−Ｅ視断面図である。
【図１０】第３実施形態を示す図である。
【図１１】第４実施形態を示す図である。
【図１２】第５実施形態を示す図である。